(57)【要約】【課題】電子写真プロセスを用いた画像形成装置に関し、従来の離間機構を用いることなく、かつ新たに高圧電源を追加することのない安価な構成により、現像剤のカブリ現象を防止すること。【解決手段】帯電高圧電源１０４からの負のＤＣ電圧によって感光体ドラム１０５の表面を帯電させる。現像ローラ１０２は感光体ドラム１０５の表面に形成された静電潜像をＤＣ電圧によって顕像化する。現像重畳高圧電源１０７は正の範囲で可変されるＤＣ電圧を出力し、その可変範囲が帯電高圧電源１０４からの負のＤＣ電圧の絶対値の最大値よりも大きい。帯電高圧電源１０４からの負のＤＣ電圧に現像重畳高圧電源１０７からの可変ＤＣ電圧を重畳し、可変ＤＣ電圧の値に応じて正または負となる重畳電圧が現像ローラ１０２に印加される。【選択図】　　　　図１
2004077692.tif 000002
【特許請求の範囲】
【請求項１】
第１の電源からの負のＤＣ電圧によって回転感光体表面を帯電させる帯電手段と、前記回転感光体表面に形成された静電潜像をＤＣ電圧によって顕像化する現像手段とを備えた画像形成装置において、
正の範囲で可変されるＤＣ電圧を出力し、その可変範囲が前記負のＤＣ電圧の絶対値の最大値よりも大きく構成された第２の電源と、前記負のＤＣ電圧に前記可変されるＤＣ電圧を重畳する重畳手段とを備え、
該重畳手段は、前記可変されるＤＣ電圧の値に応じて正または負となる重畳電圧を前記現像手段に印加することを特徴とする画像形成装置。
【請求項２】
請求項１に記載の画像形成装置において、
前記回転感光体および前記帯電手段および前記現像手段はそれぞれ同一数の複数個備えられ、
前記第１の電源は各帯電手段に共通に１個備えられ、前記第２の電源は各現像手段に対応して複数個備えられる
ことを特徴とする画像形成装置。
【請求項３】
請求項１または２に記載の画像形成装置において、
前記帯電手段と前記現像手段は円筒形状の前記回転感光体の円周上で異なる位置に配置されており、
前記第１および第２の電源を含んだ高圧電源装置と、前記回転感光体をその中心軸を回転中心として回転駆動する駆動手段とを制御する制御手段をさらに備え、
該制御手段は、前記駆動手段に前記回転感光体の回転駆動を開始させるとともに前記第１の電源に前記負のＤＣ電圧を発生させて前記帯電手段に印加し、前記回転感光体が回転を開始した時に前記帯電手段により負に帯電された前記回転感光体上の位置が前記現像手段の配置位置に来るまでは、前記第２の電源に前記負のＤＣ電圧の絶対値の最大値よりも大きな正のＤＣ電圧を発生させて前記現像手段に正のＤＣ電圧を印加するように制御することを特徴とする画像形成装置。
【請求項４】
請求項３に記載の画像形成装置において、
前記制御手段はさらに、前記回転感光体が回転を開始した時に前記帯電手段により負に帯電された前記回転感光体上の位置が前記現像手段の配置位置に来た後は、前記第２の電源の出力ＤＣ電圧を可変することで前記第２の電源に前記負のＤＣ電圧の絶対値の最大値よりも小さな正のＤＣ電圧を発生させて、前記現像手段に負のＤＣ電圧を印加するように制御することを特徴とする画像形成装置。
【請求項５】
請求項１乃至４のいずれかに記載の画像形成装置において、前記現像手段は前記回転感光体に対し常時接触方式であることを特徴とする画像形成装置。
【発明の詳細な説明】
【０００１】
【発明の属する技術分野】
本発明は画像形成装置に関し、特に詳細には、電子写真プロセスを用いた画像形成装置に関するものである。
【０００２】
【従来の技術】
従来、電子写真プロセスの現像方式の一つである接触現像方式を用いた画像形成装置において、感光ドラムの回転起動時に現像材であるトナーが意図せず感光ドラム上に付着する現象（以下、カブリと記す）が発生していた。これは図８に示すように感光ドラム１０５の回転開始時に帯電手段１０３（図８では接触帯電方式の帯電ローラ）と現像手段１０２（図８では接触現像方式の現像ローラ）間のドラム表面（図中ａの区間）の電位が不定であるために、現像手段１０２に印加する現像高圧１０１を０Ｖにしていても、現像手段１０２にトナーを吸着させておくことができず、一部のトナーが感光ドラム１０５側へと引き寄せられることによる。帯電ローラ１０３に接続されている帯電高圧電源１０４は、ドラム帯電用の直流高電圧を供給する。
【０００３】
この現象により画像形成装置はトナーを不用意に消費したり、付着したトナーがさらに転写手段等に飛散し、機内や記録紙を汚す問題となっていた。
【０００４】
この問題を解決するために、従来技術では現像手段１０２を感光ドラム１０５から離間させる離間手段（図示せず）を設け、これにより感光ドラム１０５の表面が帯電手段１０３によって所定の電位に帯電されるまで現像手段１０２を感光ドラム１０５より離間させていた。
【０００５】
【発明が解決しようとする課題】
しかしながら上記従来例では、機械的な現像手段の離間機構を設ける必要があり、画像形成装置の大型化やコストアップを招いていた。
【０００６】
そこで、本発明の目的は、現像手段に離間機構を用いることのない常時接触方式の電子写真方式画像形成装置において、新たな高圧電源をも設けることなく、接触現像方式における感光ドラムへのトナー付着現象（カブリ）を防止することである。
【０００７】
【課題を解決するための手段】
上記の目的を達成するために本発明では、第１の電源からの負のＤＣ電圧によって回転感光体表面を帯電させる帯電手段と、前記回転感光体表面に形成された静電潜像をＤＣ電圧によって顕像化する現像手段とを備えた画像形成装置において、正の範囲で可変されるＤＣ電圧を出力し、その可変範囲が前記負のＤＣ電圧の絶対値の最大値よりも大きく構成された第２の電源と、前記負のＤＣ電圧に前記可変されるＤＣ電圧を重畳する重畳手段とを備え、該重畳手段は、前記可変されるＤＣ電圧の値に応じて正または負となる重畳電圧を前記現像手段に印加する形態の画像形成装置を実施した。
【０００８】
ここで、前記回転感光体および前記帯電手段および前記現像手段はそれぞれ同一数の複数個備えられ、前記第１の電源は各帯電手段に共通に１個備えられ、前記第２の電源は各現像手段に対応して複数個備えられることも好ましい。
【０００９】
ここで、前記帯電手段と前記現像手段は円筒形状の前記回転感光体の円周上で異なる位置に配置されており、前記第１および第２の電源を含んだ高圧電源装置と前記回転感光体をその中心軸を回転中心として回転駆動する駆動手段とを制御する制御手段をさらに備え、該制御手段は、前記駆動手段に前記回転感光体の回転駆動を開始させるとともに前記第１の電源に前記負のＤＣ電圧を発生させて前記帯電手段に印加し、前記回転感光体が回転を開始した時に前記帯電手段により負に帯電された前記回転感光体上の位置が前記現像手段の配置位置に来るまでは、前記第２の電源に前記負のＤＣ電圧の絶対値の最大値よりも大きな正のＤＣ電圧を発生させて前記現像手段に正のＤＣ電圧を印加するように制御することも好ましい。
【００１０】
ここで、前記制御手段はさらに、前記回転感光体が回転を開始した時に前記帯電手段により負に帯電された前記回転感光体上の位置が前記現像手段の配置位置に来た後は、前記第２の電源の出力ＤＣ電圧を可変することで前記第２の電源に前記負のＤＣ電圧の絶対値の最大値よりも小さな正のＤＣ電圧を発生させて、前記現像手段に負のＤＣ電圧を印加するように制御することも好ましい。
【００１１】
ここで、前記現像手段は前記回転感光体に対し常時接触方式であることも好ましい。
【００１２】
【発明の実施の形態】
（実施形態１）
以下、本発明の実施形態１について図面を参照して説明する。
図１は本実施形態を説明する高圧電源１０６の構成図である。図中の参照符号１０４は従来例でも説明した第１の電源（直流高圧電源）である帯電高圧電源を示し、帯電ローラ１０３に接続されている。一方、１０７は出力電圧（Ｖｄ）を可変可能な第２の電源（直流高圧電源）である現像重畳高圧電源を示し、その出力電圧（Ｖｄ）の極性は帯電高圧電源１０４の出力電圧（Ｖｃ）と逆極性であり、かつ出力電圧（Ｖｄ）の絶対値の最大値（｜Ｖｄｍａｘ｜）が出力電圧（Ｖｃ）の絶対値の最大値（｜Ｖｃｍａｘ｜）より大きい（｜Ｖｄｍａｘ｜＞｜Ｖｃｍａｘ｜）。帯電高圧電源１０４の出力に現像重畳高圧電源１０７が接続され、現像重畳高圧電源１０７の出力部に現像ローラ１０２が接続されている。
【００１３】
次に、各高圧電源の詳細回路について図２を用いて説明する。
図中の参照符号２０１は帯電高圧電源１０４に用いられているインバータトランスを示し、インバータトランス２０１の２次側の一方の端子は接地され、他方は高圧コンデンサ２０２、２０３と高圧ダイオード２０４、２０５で構成する倍電圧整流回路を介して放電抵抗２２４に接続され、この構成によりインバータトランス２０１の出力電圧を整流し、出力保護抵抗２０６を介して帯電ローラ１０３に負極性の電圧を印加している。すなわち、高圧コンデンサ２０２の両端に矢印方向の電圧降下が生じる。
【００１４】
また、インバータトランス２０１の１次側は後述するＤＣコントローラ１１０にあるＣＰＵ２０７のデジタル入出力ポート（以下、Ｉ／Ｏポートと記す）２０７ｄから出力されるクロック信号をベース抵抗２０８、小信号ＮＰＮトランジスタ２０９、トランジスタ２０９のコレクタと＋２４Ｖ電源間に接続されたプルアップ抵抗２１０で構成するバッファ回路と、さらにベース抵抗である２１１を介してトランジスタ２１２のベースに入力することでトランジスタ２１２をスイッチング動作させインバータトランス２０１の一端子をスイッチングさせている。
【００１５】
さらに、出力電圧を制御するために、上述倍電圧整流回路による整流後の高圧出力部に接続した抵抗２１３と、＋５Ｖへのプルアップ抵抗２１４とプルダウン抵抗２１５によって上述倍電圧整流回路による出力電圧を分圧した電圧をオペアンプ２１６の正入力端子に入力し、ＣＰＵ２０７のデジタル−アナログ変換出力ポート（以下、Ｄ／Ａポートと記す）２０７ｅからの制御電圧を抵抗２１７を介してオペアンプ２１６の負入力端子に入力し、オペアンプ２１７の出力電圧をベース抵抗２１８、プルアップ抵抗２１９、ＮＰＮトランジスタ２２０、アルミ電解コンデンサ２２２で構成するエミッタフォロア回路を介してインバータトランス２０１の一端子に入力している。
【００１６】
この構成により、ＣＰＵ２０７によって帯電高圧電源１０４の出力電圧のオン／オフ及び可変制御を可能にしている。ここで、ダイオード２２１はトランジスタ２２０の保護用ダイオード、ダイオード２２３はフライバック電流をインバータトランス２０１に流すためのものである。
【００１７】
次に、現像重畳高圧電源１０７について説明する。
図中の参照符号２３０は現像重畳高圧電源１０７に用いられているインバータトランスを示し、インバータトランス２３０の２次側の一方の端子は帯電高圧電源１０４の整流後の出力部に接続され、他方は高圧コンデンサ２３１、２３２と高圧ダイオード２３３、２３４（高圧ダイオードの接続方向は帯電高圧電源とは異なり、整流後の電圧の極性が逆になるようにしている）で構成する倍電圧整流回路を介して放電抵抗２３５に接続され、この構成によりインバータトランス２３０の出力電圧を整流し、高圧コンデンサ２３２の両端に正極性の電圧を発生させている。ここで正極性とは現像ローラ１０２に正の電圧が印加される向きであり、高圧コンデンサ２３２の両端に矢印方向の電圧降下が生じる。
【００１８】
このようにして生成した帯電高圧電源１０４の出力ＤＣ電圧に現像重畳高圧電源１０７の出力ＤＣ電圧を重畳し、出力保護抵抗２３６を介して、この重畳電圧を現像ローラ１０２に印加している。
【００１９】
なお、インバータトランス２３０の２次側の制御・駆動回路は帯電高圧電源１０４中のインバータトランス２０１の２次側のものと同じ構成であるため、ここではその説明を省略する。
【００２０】
次に、図３、図４によって帯電高圧電源出力と現像高圧出力（帯電高圧電源出力に現像重畳高圧電源出力を重畳した出力）のＣＰＵ２０７による制御に関して説明する。
【００２１】
図３はＤ／Ａポート２０７ｅからの出力に対する帯電高圧電源１０４の出力電圧の関係図である。Ｄ／Ａ出力が０Ｖで高圧出力電圧は−１０００Ｖ（ボルト）となり、Ｄ／Ａ出力電圧が上昇するにしたがって高圧出力電圧絶対値は低下し、抵抗２１３、２１４、２１５の抵抗値をＲ２１３、Ｒ２１４、Ｒ２１５とすると、Ｄ／Ａ出力電圧が下記式（１）で表されるＶ１電圧以上で高圧出力はほぼ０Ｖとなる。
Ｖ１＝５Ｖ÷（１＋Ｒ２１４×（１／Ｒ２１３＋１／Ｒ２１５））　　　（１）
帯電高圧出力をオン／オフする場合には、Ｄ／Ａポート２０７ｅにおける出力を５Ｖや０Ｖに設定することによって行うことが可能となっている。
【００２２】
図４はＤ／Ａポート２０７ｅからの出力に対する現像重畳高圧電源１０７の発生電圧（図中Ｖｄ）と現像高圧出力電圧（帯電高圧に現像重畳高圧を重畳した電圧で図中Ｖｏｕｔｄ）の関係図である。
ここでは帯電高圧出力が−１０００Ｖ出力時の各電圧を示す。
Ｄ／Ａ出力が０ＶからＶ２電圧までの間でＶｏｕｔｄはＶｏｕｔｄＬ値となる。このＶｏｕｔｄＬ値は帯電高圧出力（−１０００Ｖ）を放電抵抗２３５と現像ローラ１０２の直流負荷抵抗Ｒｄ（図示せず）で分圧した電圧値となり、放電抵抗２３５の抵抗値をＲ２３５とすると（２）式で表わされる。
ＶｏｕｔｄＬ＝Ｖｃ×Ｒｄ／（Ｒ２３５＋Ｒｄ）　　　　（２）
よって、抵抗２４２、２４３、２４４の抵抗値をＲ２４２、Ｒ２４３、Ｒ２４４とすると、Ｖ２値は下記式（３）で表される値となる。
2004077692.tif 000003
また、このときのＶｄ値は帯電高圧出力電圧Ｖｃを放電抵抗２３５と直流負荷抵抗Ｒｄで分圧した際に放電抵抗２３５に発生する電圧降下分となり、下記式（４）で表される。
ＶｄＬ＝ＶｏｕｔｄＬ−Ｖｃ　　　　　　　　　　　（４）
さらにＤ／Ａ出力電圧をＶ２から上昇させてゆくと下記の式で示す値Ｖ３でＶｏｕｔｄは０Ｖ、Ｖｄは＋１０００となる。
Ｖ３＝（５Ｖ／Ｒ２４３）（１／Ｒ２４２＋１／Ｒ２４３＋１／Ｒ２４３）−１　（５）
そして、Ｄ／Ａ出力値をさらに上昇させることによりＶｏｕｔｄとＶｄの値は大きくなり、５Ｖ入力時でＶｏｕｔｄが＋５００Ｖ、Ｖｄは＋１５００Ｖとなる。
【００２３】
よって、現像高圧出力を負極性にする場合にはＤ／Ａポート２０７ｅにおける出力電圧をＶ２からＶ３までの値とし、オフ時にはＶ３値、正極性出力時にはＶ３から５Ｖまでの値とすることによって制御可能となる。
【００２４】
なお、帯電高圧出力電圧値Ｖｃが０Ｖを含め−１０００Ｖ以下の電圧の場合では、ＶｏｕｔｄＬ値、Ｖ２値、ＶｄＬ値が上式（２），（３），（４）にしたがって変わることとなる。しかし現像出力電圧をオフするためのＤ／Ａ出力電圧値Ｖ３や正極性出力時のＶｏｕｔｄ特性は変わらない。
【００２５】
次に、本実施形態のカラーレーザプリンタの構成について図５を参照して説明する。
レーザプリンタ４０１は記録紙を収納するデッキ４０２を有し、デッキ４０２内の記録紙Ｐの有無を検知するデッキ紙有無センサ４０３、デッキ４０２から記録紙Ｐを繰り出すピックアップローラ４０４、ピックアップローラ４０４によって繰り出された記録紙Ｐを搬送するデッキ給紙ローラ４０５、デッキ給紙ローラ４０５と対をなし、記録紙Ｐの重送を防止するためのリタードローラ４０６が設けられている。
【００２６】
そして、デッキ給紙ローラ４０５の下流には記録紙Ｐを同期搬送するレジストローラ対４０７、レジストローラ対４０７への記録紙Ｐの搬送状態を検知するレジ前センサ４０８が配設されている。またレジストローラ対４０７の下流には中間転写ベルト（以下、ＩＴＢと記す）４０９が配設されており、ＩＴＢ４０９上には後述する４色（イエローＹ，マゼンタＭ，シアンＣ，ブラックＢ）分のプロセスカートリッジ４１０Ｙ，４１０Ｍ，４１０Ｃ，４１０Ｂとスキャナユニット４２０Ｙ，４２０Ｍ，４２０Ｃ，４２０Ｂからなる画像形成部によって形成された各色画像が１次転写ローラ４３０Ｙ，４３０Ｍ，４３０Ｃ，４３０Ｂによって順次重ね合わされてゆくことによりカラー画像が形成され、さらに２次転写ローラ４３１によって記録紙Ｐ上に転写され、搬送される。
【００２７】
２次転写ローラ４３１の下流には、記録紙Ｐ上に転写されたトナー像を熱定着するために内部に加熱用のヒータ４３２を備えた定着ローラ４３３と加圧ローラ４３４対、定着ローラからの記録紙Ｐを搬送するための定着排紙ローラ対４３５、定着部からの搬送状態を検知する定着排紙センサ４３６、定着部からの記録紙を搬送するための搬送ローラ対４３７、排紙部における記録紙の搬送状態を検知する排紙センサ４３８、記録紙Ｐを機外へ排紙する排紙ローラ対４３９が配設されている。
【００２８】
また、各スキャナ部４２０には、後述するビデオコントローラ４４０から送出される各画像信号に基づいて変調されたレーザ光を発光するレーザユニット４２１、各レーザユニット４２１からのレーザ光を各感光ドラム１０５上に走査するためのポリゴンミラー４２２とスキャナモータ４２３、結像レンズ群４２４より構成されている。
【００２９】
そして、各プロセスカートリッジ４１０には公知の電子写真プロセスに必要な感光ドラム１０５、帯電ローラ１０３と現像ローラ１０２、トナー格納容器４１１を具備しており、レーザプリンタ４０１に対して着脱可能に構成されている。
【００３０】
さらに、ビデオコントローラ４４０はパーソナルコンピュータ等の外部装置４４１から送出される画像データを受け取ると、この画像データをビットマップデータに展開し、画像形成用の画像信号を生成する。
【００３１】
また、１１０はレーザプリンタの制御部であるＤＣコントローラを示し、ＲＡＭ２０７ａ，ＲＯＭ２０７ｂ，タイマ２０７ｃ，デジタル入出力ポート２０７ｄ，Ｄ／Ａポート２０７ｅを備えたＣＰＵ２０７または同様のＭＰＵ（マイクロコンピュータ）、及び各種入出力制御回路（図示せず）等で構成されている。
【００３２】
さらに、１０６は高圧電源部を示し、各プロセスカートリッジ４１０Ｙ，４１０Ｍ，４１０Ｃ，４１０Ｂに対応した帯電高圧電源１０４（図２参照）と、現像重畳高圧電源１０７（図２参照）と、各１次転写ローラ４３０Ｙ，４３０Ｍ，４３０Ｃ，４３０Ｂに対応した１次転写高圧電源（図示せず）と、さらに２次転写高圧電源（図示せず）とで構成されている。
【００３３】
また、４５０はメインモータを示し、駆動伝達系（図示せず）を介して、ＩＴＢ４０９や感光ドラム１０５、各搬送系ローラ４０５，４０７，４３７等を回転駆動させるものである。
【００３４】
次に、本実施形態の感光ドラム１０５の回転駆動時におけるカブリ防止のための現像高圧正極性出力制御について、図６のフローチャートを参照して説明する。
【００３５】
まず、ステップＳ１０１でプリント動作等によるメインモータ４５０が駆動開始か、すなわち感光ドラム１０５の回転駆動開始であるかを判断し、開始の場合にはまずステップＳ１０２でタイマをリセット（Ｔｉｍ＝０）し、ステップＳ１０３でメインモータ４５０を駆動する。ステップＳ１０４で各色の帯電高圧を出力すべく帯電高圧電源１０４へ入力するＤ／Ａポート出力電圧を０Ｖにセットし、さらにステップＳ１０５で各色の現像高圧を正極性出力すべく現像重畳高圧電源１０７へ入力するＤ／Ａポート出力電圧を５Ｖにセットする。そして、メインモータ４５０を駆動することにより感光ドラム１０５が回転し、図１に示した帯電ローラ１０３と現像ローラ１０２間（図中ａ）が現像ローラ位置を通過しきるまでの時間Ｔ１以上の時間が経過するまでステップＳ１０６で待機した後、ステップＳ１０７で現像出力電圧を負極性出力にすべく現像重畳高圧電源１０７へ入力するＤ／Ａポート出力電圧をプロセス条件に応じてＶ２からＶ３の間の電圧にセットする。
【００３６】
以上説明したように本実施形態によれば、帯電高圧電源（１０４）からの負のＤＣ電圧によって感光ドラム（１０５）表面を帯電させる帯電ローラ（１０３）と、感光ドラム（１０５）表面に形成された静電潜像をＤＣ電圧によって顕像化する現像ローラ（１０２）とを備えた画像形成装置において、正の範囲で可変されるＤＣ電圧を出力し、その可変範囲が上記負のＤＣ電圧の絶対値の最大値よりも大きく構成された現像重畳高圧電源（１０７）と、上記負のＤＣ電圧に上記可変されるＤＣ電圧を重畳する重畳手段（２２４，２３５）とを備え、重畳手段（２２４，２３５）は、上記可変されるＤＣ電圧の値に応じて正または負となる重畳電圧を現像ローラ（１０２）に印加することにより、現像ローラ（１０２）を感光ドラム（１０５）より離間する離間手段を設ける従来の機構を用いることなく、かつ新たに高圧電源を追加することのない安価な構成によって現像剤のカブリ現象を防止することができた。
【００３７】
（実施形態２）
以下、本発明の実施形態２について説明する。図７は本実施形態を説明する高圧電源１０６の構成図である。
実施形態１と異なる点は、各色の帯電ローラ１０３Ｙ，１０３Ｍ，１０３Ｃ，１０３Ｂに印加する帯電高圧電源１０４を共通化し、各色の現像ローラ１０２Ｙ，１０２Ｍ，１０２Ｃ，１０２Ｂに印加する現像高圧は帯電高圧電源１０４に各色に対応した現像重畳電源高圧１０７Ｙ，１０７Ｍ，１０７Ｃ，１０７Ｂを重畳して印加している点である。
【００３８】
このような構成にすることにより、帯電条件によって帯電高圧電源１０４が各色のプロセスカートリッジで共通化可能の場合でも、現像高圧電源の両極性出力を可能とすることができる。
【００３９】
以上説明したように本実施形態によれば、電子写真方式のカラー画像形成装置において実施形態１と同様のカブリ防止効果が得られ、特に、帯電高圧電源１０４を共通化したことで低コスト化を図ることができた。
【００４０】
【発明の効果】
以上説明したように本発明によれば、第１の電源からの負のＤＣ電圧によって回転感光体表面を帯電させる帯電手段と、回転感光体表面に形成された静電潜像をＤＣ電圧によって顕像化する現像手段とを備えた画像形成装置において、正の範囲で可変されるＤＣ電圧を出力し、その可変範囲が上記負のＤＣ電圧の絶対値の最大値よりも大きく構成された第２の電源と、上記負のＤＣ電圧に上記可変されるＤＣ電圧を重畳する重畳手段とを備え、重畳手段は、上記可変されるＤＣ電圧の値に応じて正または負となる重畳電圧を現像手段に印加することにより、現像手段を回転感光体より離間する離間手段を設ける従来の機構を用いることなく、かつ新たに高圧電源を追加することのない安価な構成により、現像剤のカブリ現象を防止することができる。
【図面の簡単な説明】
【図１】本発明に係る画像形成装置の実施形態１を説明する高圧電源の構成図である。
【図２】図１に示した高圧電源の詳細な回路図である。
【図３】図１に示した高圧電源による帯電高圧出力特性図である。
【図４】図１に示した高圧電源による現像高圧出力特性図である。
【図５】本発明に係る画像形成装置の実施形態１（カラーレーザプリンタ）の構成図である。
【図６】本発明に係る画像形成装置の実施形態１における制御を示すフローチャートである。
【図７】本発明に係る画像形成装置の実施形態２を説明する高圧電源の構成図である。
【図８】従来の高圧電源構成図である。
【符号の説明】
１０１　現像高圧
１０２，１０２Ｙ，１０２Ｍ，１０２Ｃ，１０２Ｂ　現像ローラ（現像手段）１０３，１０３Ｙ，１０３Ｍ，１０３Ｃ，１０３Ｂ　帯電ローラ（帯電手段）
１０４　帯電高圧電源
１０５　感光ドラム
１０６　高圧電源
１０７，１０７Ｙ，１０７Ｍ，１０７Ｃ，１０７Ｂ　現像重畳高圧電源
１１０　ＤＣコントローラ
２０１，２３０　インバータトランス
２０２，２０３，２３１，２３２　高圧コンデンサ
２０４，２０５，２３３，２３４　高圧ダイオード
２０６，２３６　出力保護抵抗
２０７　ＣＰＵ
２０７ａ　ＲＡＭ
２０７ｂ　ＲＯＭ
２０７ｃ　タイマ
２０７ｄ　デジタル入出力ポート
２０７ｅ　Ｄ／Ａポート（デジタル−アナログ変換出力ポート）
２０８　ベース抵抗
２０９，２１２，２２０　トランジスタ
２１０，２１４，２１９　プルアップ抵抗
２１３，２１７，２４２　抵抗
２１５　プルダウン抵抗
２１６　オペアンプ
２１８　ベース抵抗
２２１，２２３　ダイオード
２２２　アルミ電解コンデンサ
２２４，２３５　放電抵抗
４０１　レーザプリンタ
４０２　デッキ
４０３　デッキ紙有無センサ
４０４　ピックアップローラ
４０５　デッキ給紙ローラ
４０６　リタードローラ
４０７　レジストローラ対
４０８　レジ前センサ
４０９　中間転写ベルト
４１０，４１０Ｙ，４１０Ｍ，４１０Ｃ，４１０Ｂ　プロセスカートリッジ
４１１　トナー格納容器
４２０Ｙ，４２０Ｍ，４２０Ｃ，４２０Ｂ　スキャナユニット
４２０　スキャナ部
４２１　レーザユニット
４２２　ポリゴンミラー
４２３　スキャナモータ
４２４　結像レンズ群
４３０Ｙ，４３０Ｍ，４３０Ｃ，４３０Ｂ　１次転写ローラ
４３１　２次転写ローラ
４３２　ヒータ
４３３　定着ローラ
４３４　加圧ローラ
４３５　定着排紙ローラ対
４３６　定着排紙センサ
４３７　搬送ローラ対
４３８　排紙センサ
４３９　排紙ローラ対
４４０　ビデオコントローラ
４４１　外部装置
４５０　メインモータ
Ｒｄ　直流負荷抵抗
【図１】
2004077692.tif 000004
【図２】
2004077692.tif 000005
【図３】
2004077692.tif 000006
【図４】
2004077692.tif 000007
【図５】
2004077692.tif 000008
【図６】
2004077692.tif 000009
【図７】
2004077692.tif 000010
【図８】
2004077692.tif 000011